(57)【要約】      （修正有）【課題】外部熱源機で所定温度に再加熱された湯水を貯湯タンクに貯湯開始した後の湯水の温度の急落を防ぐと共に、循環ポンプを所定の回転数以上で作動させて外部熱源機の入水流量を一定以上にすることにより、外部熱源機の熱交換部の孔食を防止可能な貯湯給湯装置を提供する。【解決手段】外部熱源機と、貯湯タンクと、これらを接続する循環通路とを有し、循環通路に、貯湯タンク内の湯水を外部熱源機に供給するための循環ポンプと、貯湯タンクをバイパスするバイパス通路と、このバイパス通路を流れるバイパス流量と貯湯タンクへ流れる循環流量との比率を調節可能なバイパス調整弁と、外部熱源機で加熱された湯水の温度を検知する温度センサを備え、循環ポンプの回転数を調節して外部熱源機で加熱される湯水の温度を調節する貯湯給湯装置において、循環通路を流れる湯水の温度に応じてバイパス調整弁を制御する。【選択図】図１
2017044451.tif 000002
【特許請求の範囲】
【請求項１】
外部熱源機と、貯湯タンクと、これらを接続する循環通路とを有し、
前記循環通路に、前記貯湯タンク内の湯水を前記外部熱源機に供給するための循環ポンプと、前記貯湯タンクをバイパスするバイパス通路と、このバイパス通路を流れるバイパス流量と前記貯湯タンクへ流れる循環流量との比率を調節可能なバイパス調整弁と、前記外部熱源機で加熱された湯水の温度を検知する温度センサを備え、前記循環ポンプの回転数を調節して前記外部熱源機で加熱される湯水の温度を調節する貯湯給湯装置において、
前記循環通路を流れる湯水の温度が所定温度未満である場合には、貯湯タンクへ流れないように前記バイパス調整弁を制御し、
前記循環通路を流れる湯水の温度が所定温度以上である場合には、前記バイパス調整弁を介して循環ポンプの回転数が所定の回転数以上となるように前記バイパス流量と前記循環流量との比率を調節する制御手段を設けたことを特徴とする貯湯給湯装置。
【請求項２】
前記外部熱源機はヒートポンプ給湯装置であって、ヒートポンプ回路の給湯熱交換器が銅配管を素材とした二重管式熱交換器であることを特徴とする請求項１に記載の貯湯給湯装置。
【発明の詳細な説明】
【技術分野】
【０００１】
本発明は、外部熱源機で加熱された湯水を貯湯タンクに貯留し、貯留した湯水を給湯可能な貯湯給湯装置に関する。
【背景技術】
【０００２】
従来から、ヒートポンプ給湯装置や燃料電池等の外部熱源機と貯湯タンク間を循環通路で接続し、循環ポンプによって湯水を加熱循環させて貯湯し、貯湯した湯水を給湯する貯湯給湯装置が広く使用されている。この貯湯給湯装置は、外部熱源機で加熱された湯水の温度が所定の貯湯温度となるように、循環ポンプの回転数を制御して循環流量を調節し、貯湯タンクに所定の貯湯温度の湯水を貯留している。
【０００３】
通常、外部熱源機を起動してから外部熱源機により加熱された湯水の温度が所定の貯湯温度になるまでには時間を要するため、外部熱源機の起動からしばらくの間は、所定の貯湯温度より低温の湯水の貯湯タンクへの流入を防ぐために外部熱源機で加熱された湯水の全量をバイパス回路にバイパスさせることで所定の貯湯温度になるように外部熱源機で再加熱している。
【０００４】
特許文献１に記載の貯湯給湯装置においては、発電装置５の排熱を排熱循環回路５０を介して熱源機１０に供給し、熱源機１０と貯湯タンク１３を循環往路３１と循環復路３２とで接続し、循環復路３２に介装した循環ポンプ１１と、熱源機１０をバイパスするリターン流路３４と、リターン流路３４と循環往路３１の合流部に介装した合流弁３３とを設け、熱源機１０で加熱した湯水の一部をリターン流路３４へ分流させることによって、熱源機１０で再加熱する構成が採用されている。リターン流路３４へ分流させることで熱交換率を高め、分流弁３３を調整することで貯湯タンク１３へ供給される湯水の温度を制御している。
【先行技術文献】
【特許文献】
【０００５】
【特許文献１】特許４３０４６０１号公報
【発明の概要】
【発明が解決しようとする課題】
【０００６】
しかし、一旦外部熱源機により加熱された湯水の温度が所定温度以上になって貯湯タンクに貯留を開始したとき、外部熱源機に低温の湯水が入水するので、外部熱源機により加熱された湯水の温度が急落して、その低温の湯水が貯湯タンクに供給されるため、貯湯タンク内の温度成層が崩れる虞がある。
【０００７】
他方、外部熱源機で加熱された湯水の温度が所定温度以上になるように循環ポンプの回転を低速に制御すると、循環流量が減少して高温の湯水の流速が低速になり、外部熱源機の熱交換部において孔食（孔があく腐食）が発生する虞がある。尚、特許文献１には、熱源機の熱交換器に発生する孔食の発生を防止する技術については何ら開示、示唆がない。
【０００８】
本発明の目的は、バイパス回路を介して外部熱源機で所定温度まで再加熱された湯水を貯湯タンクに貯留開始した場合における湯水の温度の急落を防ぐと共に、外部熱源機の熱交換器の孔食を防止可能な貯湯給湯装置を提供することである。
【課題を解決するための手段】
【０００９】
請求項１の発明は、外部熱源機と、貯湯タンクと、これらを接続する循環通路とを有し、前記循環通路に、前記貯湯タンク内の湯水を前記外部熱源機に供給するための循環ポンプと、前記貯湯タンクをバイパスするバイパス通路と、このバイパス通路を流れるバイパス流量と前記貯湯タンクへ流れる循環流量との比率を調節可能なバイパス調整弁と、前記外部熱源機で加熱された湯水の温度を検知する温度センサを備え、前記循環ポンプの回転数を調節して前記外部熱源機で加熱される湯水の温度を調節する貯湯給湯装置において、前記循環通路を流れる湯水の温度が所定温度未満である場合には、貯湯タンクへ流れないように前記バイパス調整弁を制御し、前記循環通路を流れる湯水の温度が所定温度以上である場合には、前記バイパス調整弁を介して循環ポンプの回転数が所定の回転数以上となるように前記バイパス流量と前記循環流量との比率を調節する制御手段を設けたことを特徴としている。
【００１０】
請求項２の発明は、請求項１の発明において、外部熱源機はヒートポンプ給湯装置であって、ヒートポンプ回路の給湯熱交換器が銅配管を素材とした二重管式熱交換器であることを特徴としている。
【発明の効果】
【００１１】
請求項１の発明によれば、制御手段により、循環通路を流れる湯水の温度が所定温度未満である場合には、貯湯タンクへ流れないようにバイパス調整弁を制御することにより、外部熱源機で加熱された湯水の全量がバイパス通路を通って外部熱源機で再加熱されるため、貯湯タンク内へ低温の湯水が供給されて温度成層が崩れることを防ぐことができる。
【００１２】
循環通路を流れる湯水の温度が所定温度以上である場合には、制御手段によりバイパス調整弁を介して循環ポンプの回転数が所定の回転数以上となるようにバイパス流量と循環流量との比率を調節するため、外部熱源機で加熱された湯水の一部は、貯湯タンクへ供給され、外部熱源機で加熱された湯水の残部はパイパス通路を介して外部熱源機へ再度流入する。そのため、外部熱源機の熱交換器内の流速をある程度高い流速に維持することで熱交換器の孔食の発生を確実に防ぐことができる。
【００１３】
しかも、外部熱源機で加熱された湯水の一部は貯湯タンクへ供給されるが、この湯水の大部分も外部熱源機を複数回通過して十分に加熱された湯水であるため、貯湯タンクへ供給されたとしても、貯湯タンク内の温度成層を崩す虞はない。
【００１４】
請求項２の発明によれば、外部熱源機がヒートポンプ給湯装置であって、ヒートポンプ回路の熱交換器が銅配管を素材とした二重管式熱交換器なので、バイパス調整弁を調節して効率よく冷媒と湯水の間で熱交換を行いながら熱交換器の孔食の発生を防ぐことができる。
【図面の簡単な説明】
【００１５】
【図１】本発明の実施例１に係る貯湯給湯装置の概略構成図である。
【図２】外部熱源機の給湯熱交換器の二重管の断面図である。
【図３】貯湯運転制御の前半部分のフローチャートである。
【図４】貯湯運転制御の後半部分のフローチャートである。
【図５】本発明の実施例２に係る貯湯運転制御の後半部分のフローチャートである。
【図６】本発明の変更形態を示す貯湯給湯装置の概略構成図である。
【図７】給湯熱交換器の配管の変更形態を示す三重管の断面図である。
【発明を実施するための形態】
【００１６】
以下、本発明を実施するための形態について実施例に基づいて説明する。
【実施例１】
【００１７】
まず、貯湯給湯装置の概略を図１に基づいて説明する。
本発明の貯湯給湯装置１は、ヒートポンプ給湯装置から成る外部熱源機３と、貯湯タンク５と、貯湯タンク５の湯水を外部熱源機３で加熱し、加熱された湯水を貯湯タンク５に貯留するように接続する循環通路４と、貯湯タンク５に上水を供給する給水通路７と、貯湯タンク５に貯留された湯水を出湯する出湯通路１４を備えている。
【００１８】
貯湯タンク５の下端部から外部熱源機３へ向かう循環通路部４ａには循環ポンプ１６が設けられ、循環ポンプ１６の下流側に入水温度センサ１０ｈが外部熱源機３の入水温度を検知可能に設けられている。外部熱源機３から貯湯タンク５の上端部へ向かう循環通路部４ｂには循環温度センサ１０ｅが、外部熱源機３で加熱された湯水の温度（循環温度）を検知可能に設けられている。
【００１９】
循環通路部４ｂには、循環温度センサ１０ｅの下流側でバイパス調整弁８により分岐されて、循環通路部４ａの循環ポンプ１６の上流側に接続されるバイパス通路６が設けられている。このバイパス調整弁８の開度を調節することにより、外部熱源機３で加熱され貯湯タンク５へ向かう湯水の一部または全部を再度循環ポンプ１６を介して外部熱源機３に送り再加熱可能に構成されている。
【００２０】
バイパス調整弁８は三方弁であり、その開度を多段階に調節可能である。例えば、バイパス通路６を流れるバイパス流量と循環通路部４ｂを通り貯湯タンク５へ流入する循環流量の比率（バイパス比）を、全量バイパス、２：１、１：１、１：２、全量循環に調節可能である。
【００２１】
給水通路７は、上水源から低温の水を貯湯タンク５等に供給するものであり、上流給水通路部７ａ、下流給水通路部７ｂを有し、上流給水通路部７ａの上流端が上水源に接続され、下流給水通路部７ｂの下流端が貯湯タンク５の下端部分に接続されている。上流給水通路部７ａと下流給水通路部７ｂとの間から出湯通路１４に接続する給水バイパス通路１２が分岐されている。上流給水通路部７ａには給水温度センサ１０ｆが給水温度を検知可能に設けられ、下流給水通路部７ｂには逆止弁１１が設けられている。給水バイパス通路１２には、逆止弁１３が設けられている。
【００２２】
出湯通路１４は、貯湯タンク５に貯留された湯水を給湯先に供給するものであり、上流端が貯湯タンク５の上端部分に接続された上流出湯通路部１４ａと下流端が給湯先に接続された下流出湯通路部１４ｂとを有し、上流出湯通路部１４ａの下流端と、下流出湯通路部１４ｂの上流端と、給水バイパス通路１２の下流端が混合弁１５に接続されている。
【００２３】
混合弁１５は、使用者が設定可能な給湯設定温度の湯水を下流出湯通路部１４ｂから供給するために、上水源から給水バイパス通路１２を通る低温の上水と貯湯タンク５から上流出湯通路部１４ａを通る高温の湯水との混合比を調節するものである。混合弁１５により給湯設定温度に調節された湯水は下流出湯通路部１４ｂを通って給湯栓等に供給される。下流出湯通路部１４ｂには、出湯温度センサ１０ｇが給湯温度を検知可能に設けられている。
【００２４】
次に、貯湯タンク５について説明する。
貯湯タンク５は、外部熱源機３で例えば４５〜９０℃に加熱された湯水を貯留可能に構成されている。貯湯タンク５の外周には、下側から上側に向かって等間隔に複数の貯湯温度センサ１０ａ〜１０ｄが順に設けられ、これら複数の貯湯温度センサ１０ａ〜１０ｄにより貯湯タンク５内の複数の貯留層の湯水温度が検出される。貯湯タンク５の周囲は図示しない断熱材で覆われ、貯湯タンク５内の湯水の降温を防いでいる。
【００２５】
次に、外部熱源機３について説明する。
この外部熱源機３は、補助制御ユニット２０を介して制御ユニット９に制御され、圧縮機２１、給湯熱交換器２２、膨張弁２３、空気熱交換器２４を冷媒配管２５を介して接続することでヒートポンプ回路を構成し、冷媒配管２５に封入された冷媒と外気の熱を利用して貯湯運転が行われるヒートポンプ給湯装置である。
【００２６】
貯湯運転中は圧縮機２１と空気熱交換器２４用の送風ファン２６とが夫々駆動され、圧縮機２１により圧縮され昇温した冷媒と、給湯熱交換器２２において循環通路４を流れる湯水との間の熱交換により湯水が加熱される。熱交換により降温した冷媒は、膨張弁２３により膨張してさらに降温し、空気熱交換器２４で外気の熱を吸熱した後、再び圧縮機２１に向かう。このように冷媒がヒートポンプ回路内を循環することにより循環通路４を流れる湯水の加熱が行われる。
【００２７】
給湯熱交換器２２は、図２に示すような銅配管を素材とした二重管２７を熱交換部に使用した二重管式熱交換器である。二重管２７は、多葉管である内管２８を外管２９の内部に収納している。内管２８の内部に冷媒を流し、内管２８と外管２９の間に湯水を流し、高温の冷媒と低温の湯水との間で熱交換させて湯水を加熱する。
【００２８】
尚、外部熱源機３としてヒートポンプ給湯装置を用いた例を説明したが、これに限定されるものではなく、外部熱源機として例えば燃料電池やガスエンジン等の発電装置を用いることも可能である。
【００２９】
次に、制御ユニット９について説明する。
制御ユニット９は、貯湯温度センサ１０ａ〜１０ｄ、循環温度センサ１０ｅ、給水温度センサ１０ｆ、出湯温度センサ１０ｇ、入水温度センサ１０ｈ等から各部の温度を取得し、循環通路４や出湯通路１４等に備えられたバイパス調整弁８、混合弁１５、循環ポンプ１６等を作動させ、外部熱源機３を運転して使用者が設定した給湯設定温度での給湯が可能なように貯湯運転、給湯運転等を制御している。
【００３０】
次に、前記制御ユニット９により実行される貯湯運転制御について、図３、図４のフローチャートに基づいて説明する。尚、フローチャート中のＳｉ（ｉ＝１，２，・・・）は各ステップを示す。貯湯設定温度Ｔ０及び目標貯湯量は予め設定されているものとする。制御ユニット９は、貯湯運転中は常に、外部熱源機３で加熱された湯水の温度（循環温度Ｔ１）を循環温度センサ１０ｅから取得し、循環ポンプ１６の回転数を調節して湯水が外部熱源機３で貯湯設定温度Ｔ０に加熱されるように制御している。
【００３１】
貯湯運転開始時、Ｓ１においてバイパス比が全量バイパスとなるようにバイパス調整弁８を調節し、外部熱源機３と循環ポンプ１６を作動させる。貯湯運転開始直後は、外部熱源機３で加熱された湯水の温度が所定温度よりも低温になるのが普通であるので、バイパス比が全量バイパスとなるようにバイパス調整弁８を調節することで、貯湯運転開始直後に外部熱源機３で加熱された湯水の全量をバイパス通路６に流すように制御する。
【００３２】
次に、Ｓ２において、貯湯温度センサ１０ａ〜１０ｄの検出信号に基づいて温度を取得して、目標貯湯量に到達しているか否かを判定し、Ｓ２の判定がＹｅｓの場合には貯湯運転を停止させ（Ｓ１８）、Ｎｏの場合には貯湯運転を続行しＳ３に進む。
【００３３】
次に、Ｓ３において、循環温度センサ１０ｅの検出信号に基づいて循環温度Ｔ１を取得し、条件Iを満たすか否か判定する。条件Iを満たすとは、次の条件式（１）を１２秒間継続して満たすことである。
Ｔ１≧Ｔ０−５［℃］    ・・・条件式（１）
【００３４】
Ｓ３の判定がＮｏの場合には、外部熱源機３で加熱された湯水の温度が低いことからＳ２に戻り、Ｙｅｓの場合には、外部熱源機３で加熱された湯水の温度がある程度高いため、バイパス比が１：１になるようにバイパス調整弁８を調節し（Ｓ４）、外部熱源機３で加熱された湯水の半分を貯湯タンク５に供給して貯留すると共に、外部熱源機３で加熱された湯水の半分がバイパス通路６を流れる。
【００３５】
次に、Ｓ５において、循環温度Ｔ１が条件IIを満たすか否か判定する。条件IIを満たすとは、次の条件式（２）を６０秒間継続して満たすことである。
Ｔ１＜Ｔ０−１０［℃］  ・・・条件式（２）
【００３６】
Ｓ５の判定がＹｅｓの場合には、循環温度Ｔ１がかなり低いためＳ６においてバイパス比が全量バイパスとなるようにバイパス調整弁８を調節してＳ２に戻り、Ｎｏの場合にはＳ７に進む。
【００３７】
次に、Ｓ７において、上述のＳ２と同様に目標貯湯量に到達しているか否かを判定する。Ｓ７の判定がＹｅｓの場合には貯湯運転を停止し（Ｓ１８）、Ｎｏの場合には貯湯運転を続行しＳ８に進む。
【００３８】
次に、Ｓ８において、循環温度Ｔ１が条件IIIを満たすか否か判定する。条件IIIを満たすとは、上述の条件式（１）を６０秒間継続して満たすこと、または、循環ポンプ１６の回転数が毎分４５００回転以上の状態を５秒間継続していることのいずれか一方を満たすことである。
【００３９】
Ｓ８の判定がＮｏの場合には外部熱源機３で加熱された湯水の温度が低いことからＳ５に戻り、Ｙｅｓの場合には、外部熱源機３で加熱された湯水の温度がかなり高いことからＳ９に進む。
【００４０】
次に、Ｓ９において、貯湯設定温度Ｔ０が例えば６０℃以上であるか否か判定する。Ｓ９の判定がＹｅｓの場合には、循環ポンプ１６の下限回転数を所定の回転数（例えば１０００ｒｐｍ）に設定し（Ｓ１０）、Ｓ１１において条件IVを満たすか否か判定する。ここで、所定の回転数は、給湯熱交換器２２における孔食の発生を防止可能な流速を確保できる回転数であるが、上記の所定の回転数は、外部熱源機３や循環ポンプ１６の仕様等により適宜設定されるものである。
【００４１】
条件IVを満たすとは、貯湯設定温度Ｔ０と外部熱源機３の入水温度Ｔ２について、次の条件式（３）を満たすことである。尚、入水温度Ｔ２は給水温度センサ１０ｆにより検知される温度である。
Ｔ０−Ｔ２≧３０［℃］  ・・・条件式（３）
【００４２】
Ｓ１１の判定がＹｅｓの場合には、入水温度Ｔ２がかなり低いことから例えばバイパス比が２：１になるようにバイパス調整弁８を調節し（Ｓ１２）、Ｓ１３に進む。その結果バイパス流量が増えるので、循環ポンプ１６を所定の回転数以上で作動させて孔食が発生しにくい流量及び流速を維持することにより孔食の発生を抑制すると共に、外部熱源機３から貯湯タンク５へ流れる湯水の循環流量を調節し、循環温度Ｔ１が貯湯設定温度Ｔ０となるように制御する。
【００４３】
次に、Ｓ１３において、上述の条件IIを満たすか否か判定する。Ｓ１３の判定がＹｅｓの場合には、循環温度Ｔ１がかなり低いことからバイパス比が全量バイパスとなるようにバイパス調整弁８を調節し（Ｓ６）、Ｓ２に戻る。Ｓ１３の判定がＮｏの場合には、Ｓ１４において目標貯湯量に到達しているか否か判定する。
【００４４】
Ｓ１４の判定がＮｏの場合には貯湯運転を続行してＳ１３に戻り、Ｙｅｓの場合には貯湯運転を停止させ（Ｓ１８）貯湯運転が完了する。
【００４５】
一方、Ｓ１１の判定がＮｏの場合、及びＳ９の判定がＮｏの場合には、バイパス比が全量循環となるようにバイパス調整弁８を調節し（Ｓ１５）、Ｓ１６へ移行する。Ｓ１６では、上述の条件IIを満たすか否か判定し、その判定がＹｅｓの場合はＳ６へ移行し、その判定がＮｏの場合はＳ１７へ移行する。Ｓ１７では、目標貯湯量に達しているか否か判定し、その判定がＮｏの場合はＳ１６へ戻り、その判定がＹｅｓの場合はＳ１８へ移行する。Ｓ１８では、外部熱源機３と循環ポンプ１６の作動を停止し、貯湯運転を停止する。
【００４６】
ここで、本発明の貯湯給湯装置１の技術思想は、循環通路４を流れる湯水の温度（循環温度Ｔ１）が「所定温度」未満である場合には、貯湯タンク５へ流れないようにバイパス調整弁８を制御し、循環通路４を流れる湯水の温度が「所定温度」以上である場合には、バイパス調整弁８を介して循環ポンプ１６の回転数が所定の回転数以上となるようにバイパス流量と循環流量との比率（バイパス比）を調節するものである。この「所定温度」として、前記条件Ｉの（Ｔ０−５℃）を採用してもよく、前記条件IIの（Ｔ０−１０℃）を採用してもよく、その他の温度（例えば、５０℃ ）を採用してもよい。
【００４７】
以上説明した貯湯給湯装置１の作用、効果について説明する。
循環通路４を流れる湯水の温度が所定温度未満である場合には、貯湯タンク５へ流れないようにバイパス調整弁８を制御するため、外部熱源機３で加熱された湯水の全量がバイパス通路６を通って外部熱源機３で再加熱されるため、貯湯タンク５内へ低温の湯水が供給されて温度成層が崩れることを防ぐことができる。
【００４８】
循環通路４を流れる湯水の温度が所定温度以上である場合には、バイパス調整弁８を介して循環ポンプ１６の回転数が所定の回転数以上となるようにバイパス流量と循環流量との比率（バイパス比）を調節する。そのため、外部熱源機３の熱交換器２２内の流速をある程度高い流速に維持することで給湯熱交換器２２における孔食の発生を確実に防ぐことができる。
【００４９】
外部熱源機３で加熱された湯水の一部は貯湯タンク５へ供給され、外部熱源機３で加熱された湯水の残部はパイパス通路６を介して外部熱源機３へ再度流入することから、この湯水の大部分も外部熱源機３を複数回通過して十分に加熱された湯水であるため、貯湯タンク５へ供給されたとしても、貯湯タンク５内の温度成層を崩す虞はない。
【００５０】
さらに、外部熱源機３のヒートポンプ回路の給湯熱交換器２２が銅配管を素材とした二重管式熱交換器なので、バイパス調整弁を調節して効率よく冷媒と湯水の間で熱交換を行いながら熱交換器の孔食の発生を防ぐことができる。
【実施例２】
【００５１】
次に、実施例１の貯湯運転制御を部分的に変更した実施例２について図５のフローチャートに基づいて説明する。実施例１では、循環温度が所定温度以上の場合に循環ポンプ１６の下限回転数を所定の回転数に設定して一定以上の流量と流速を確保しつつ、バイパス比を調節して循環温度Ｔ１が貯湯設定温度Ｔ０になるように制御している。
しかし、実施例２では、原則として循環ポンプ１６の回転数を所定の回転数以上で作動させながら貯湯設定温度に加熱可能であるようにバイパス比を調節して入水温度Ｔ２を上昇させることで循環温度Ｔ１を上昇させ、循環温度Ｔ１が貯湯設定温度Ｔ０になるように制御する。尚、Ｓ１〜Ｓ８は実施例１と同様の制御であるので、説明を省略する。
【００５２】
実施例１のＳ８と同様にバイパス比１：１で貯湯運転が実行されている状態で、Ｓ９において貯湯設定温度Ｔ０が例えば６０℃以上であるか否か判定する。Ｓ９の判定がＹｅｓの場合には、Ｓ２１において上述の条件IVを満たすか否か判定する。尚、入水温度Ｔ２は、入水温度センサ１０ｈにより検知される。
【００５３】
Ｓ２１において判定がＹｅｓの場合、例えばバイパス比が２：１になるようにバイパス調整弁８を調節し（Ｓ２２）、Ｓ２１に戻る。このとき貯湯設定温度Ｔ０と入水温度Ｔ２の差が３０℃未満となるようにバイパス通路６の流量を増やして入水温度Ｔ２を上昇させ、循環温度Ｔ１を上昇させる。
【００５４】
Ｓ２１の判定がＮｏの場合、Ｓ２４において上述の条件IIを満たすか否か判定する。Ｓ２４の判定がＹｅｓの場合には、バイパス比が全量バイパスとなるようにバイパス調整弁８を調節して（Ｓ６）、Ｓ２に戻る。Ｓ２４の判定がＮｏの場合には、Ｓ２５において目標貯湯量に到達しているか否かを判定し、その判定がＮｏの場合にはＳ２４に戻り、Ｓ２５判定がＹｅｓの場合には貯湯運転を停止させ（Ｓ２６）貯湯運転が完了する。
【００５５】
このとき循環ポンプ１６の回転数を制御して外部熱源機３の入水流量を調節し、循環温度Ｔ１が貯湯設定温度Ｔ０になるように制御するが、貯湯設定温度Ｔ０と入水温度Ｔ２の差が３０℃未満であるので、循環ポンプ１６の回転数を所定の回転数以上で作動させて貯湯設定温度Ｔ０になるように外部熱源機３で加熱することができる。
【００５６】
一方、Ｓ９の判定がＮｏの場合には、バイパス比が全量循環となるようにバイパス調整弁８を調節し（Ｓ２３）、Ｓ２４へ進む。このとき循環ポンプ１６の回転数を制御して外部熱源機３の入水流量を調節し、循環温度Ｔ１が貯湯設定温度Ｔ０になるように制御する。
【００５７】
次に、Ｓ２４において上述の条件IIを満たすか否か判定する。Ｓ２４の判定がＹｅｓの場合には、バイパス比を全量バイパスとなるようにバイパス調整弁８を調節し（Ｓ６）、Ｓ２に戻る。Ｓ２４の判定がＮｏの場合、Ｓ２５において目標貯湯量に到達しているか否かを判定し、判定がＮｏの場合には貯湯運転を続行してＳ２４に戻り、判定がＹｅｓの場合には貯湯運転を停止させ（Ｓ２６）、貯湯運転が完了する。
【００５８】
尚、実施例１、２で説明した条件I〜IVの温度や継続時間、回転数は上述の数値に限定されるものではなく、各部配管径や配管長、循環ポンプや外部熱源機の仕様等により適宜変更されるものである。また、貯湯設定温度Ｔ０が所定の貯湯温度に相当する。
【００５９】
この実施例２に係る貯湯給湯装置１も、実施例１の貯湯給湯装置と基本的に同様の作用、効果を奏するので、その記載を省略する。
【００６０】
次に、前記実施例を部分的に変更した形態について説明する。
［１］バイパス調整弁８である三方弁に替えて、図６に示すように、バイパス通路６に設けられたバイパス流量調整弁３０ａと、循環通路４ｂのバイパス通路６への分岐より下流側に設けられた循環流量調整弁３０ｂの開度を夫々多段階に制御することにより、バイパス流量と循環流量との比率を調節可能な構成としてもよい。これによりバイパス流量と循環流量との比率を多段階に調節する構成とすることができ、例えば、各流量調整弁が全閉、半開、全開に制御可能であれば、バイパス流量と循環流量との比率を全量バイパス、２：１、１：１、１：２、全量循環とすることができる。さらに多くの段階に調整する構成としてもよい。
【００６１】
［２］二重管式熱交換器に替えて、図７に示すように、二重管式熱交換器の内管２８が、二重多葉管である三重管式熱交換器とした構成であってもよい。これにより冷媒の漏洩が検知可能になると共に、湯水の流速が比較的低速なため孔食が発生しやすい多葉管の谷部において、内管２８ａと漏洩検知管２８ｂの間に漏洩検知のための隙間により熱交換が妨げられるため湯水が高温になりにくく、孔食の発生を抑制することができる。
【００６２】
［３］出湯通路１４に補助熱源機を備えた構成としてもよい。これにより、貯湯量が不足している場合や貯湯温度より高温の湯水を給湯する場合でも、使用者は所望の給湯温度の湯水を使用することができる。
【００６３】
［４］その他、当業者であれば、本発明の趣旨を逸脱することなく、前記実施例に種々の変更を付加した形態で実施可能であり、本発明はそのような変更形態を包含するものである。
【符号の説明】
【００６４】
１    貯湯給湯装置
２    貯湯給湯ユニット
３    外部熱源機（ヒートポンプ給湯装置）
４    循環通路
４ａ、４ｂ  循環通路部
５    貯湯タンク
６    バイパス通路
７    給水通路
７ａ  上流給水通路部
７ｂ  下流給水通路部
８    バイパス調整弁
９    制御ユニット
１０ａ〜１０ｄ  貯湯温度センサ
１０ｅ  循環温度センサ
１０ｆ  給水温度センサ
１０ｇ  出湯温度センサ
１０ｈ  入水温度センサ
１１  逆止弁
１２  給水バイパス通路
１３  逆止弁
１４  出湯通路
１４ａ  上流出湯通路部
１４ｂ  下流出湯通路部
１５  混合弁
１６  循環ポンプ
２０  補助制御ユニット
２１  圧縮機
２２  給湯熱交換器
２３  膨張弁
２４  空気熱交換器
２５  冷媒配管
２６  送風ファン
２７  二重管
２８  内管（多葉管）
２８ａ  内管
２８ｂ  漏洩検知管
２９  外管
３０ａ  バイパス流量調整弁
３０ｂ  循環流量調整弁  
【図１】
2017044451.tif 000003
【図２】
2017044451.tif 000004
【図３】
2017044451.tif 000005
【図４】
2017044451.tif 000006
【図５】
2017044451.tif 000007
【図６】
2017044451.tif 000008
【図７】
2017044451.tif 000009